(57)【要約】【課題】間仕切り壁の移動や回転を円滑に安定して行うことができる可動間仕切り装置を提供する。【解決手段】天井面１と床面２に設けたガイドレール３、４に跨って、複数の間仕切り壁５・・を移動自在に取り付ける。間仕切り壁５は、その壁体６の上端部に、天井面１側のガイドレール３に係合して移動可能とされた第１突起７を備え、壁体６の下端部に、複数のキャスター９・・と、床面２側のガイドレール４に係合して移動可能とされた第２突起８とを備えている。壁体６は、第１突起７及び第２突起８を中心として回転可能とされ、壁体６のガイドレール３、４に沿った回転位置においてキャスター９・・がガイドレール４上を走行可能とされ、壁体６のガイドレール３、４からずれた回転位置においてキャスター９・・が床面２上を走行可能とされている。【選択図】図２
2007255118.tif 000002
【特許請求の範囲】
【請求項１】
天井面（１）と床面（２）にガイドレール（３）（４）が夫々設けられ、これらガイドレール（３）（４）間に跨って間仕切り壁（５）・・が移動自在に取り付けられた可動間仕切り装置であって、前記間仕切り壁（５）は、その壁体（６）の上端部に、天井面（１）側のガイドレール（３）に係合してそのガイドレール（３）に沿って移動可能とされた第１突起（７）（５０）を備えるとともに、前記壁体（６）の下端部に、複数のキャスター（９）・・と、床面（２）側のガイドレール（４）に係合してそのガイドレール（４）に沿って移動可能とされた第２突起（８）とを備え、前記壁体（６）は、前記第１突起（７）（５０）及び第２突起（８）を中心として回転可能とされ、前記壁体（６）の前記ガイドレール（３）（４）に沿った回転位置において前記キャスター（９）・・が床面（２）側のガイドレール（４）上を走行可能とされ、前記壁体（６）の前記ガイドレール（３）（４）からずれた回転位置において前記キャスター（９）・・が床面（２）上を走行可能とされていることを特徴とする可動間仕切り装置。
【請求項２】
前記第１突起（７）（５０）は、前記壁体（６）の上端部略中央に設けられ、前記第２突起（８）は、前記壁体（６）の下端部略中央に設けられている請求項１記載の可動間仕切り装置。
【請求項３】
前記キャスター（９）・・は、前記第２突起（８）を挟んだ両側に設けられている請求項２記載の可動間仕切り装置。
【請求項４】
前記キャスター（９）・・は、前記床面（２）側のガイドレール（４）上や前記床面（２）上を転動するボール（６２）を備えたボールキャスターとされている請求項１乃至３のいずれかに記載の可動間仕切り装置。
【請求項５】
前記天井面（１）側のガイドレール（３）は、リップ（２５）（２５）間の隙間が下向きになるように前記天井面（１）に取り付けたリップ付き溝形鋼からなり、前記第１突起（７）（５０）は、前記天井面（１）側のガイドレール（３）の溝部内に収容されたスライド部材（３０）と、このスライド部材（３０）から前記リップ（２５）（２５）間の隙間を通って下方へ突出した軸部材（３１）と、前記壁体（６）の上端部に固定されて前記軸部材（３１）をその軸芯周りに回転自在且つ上下動自在に支持する支持部材（３２）と、この支持部材（３２）に取り付けられて前記軸部材（３１）を上方へ付勢するバネ部材（３３）とを備えている請求項１乃至４のいずれかに記載の可動間仕切り装置。
【請求項６】
前記スライド部材（３０）に、前記ガイドレール（３）を天井面（１）に取り付けるためのビス（２９）等の固定具を回避する凹所（３７）（５１）が形成されている請求項５記載の可動間仕切り装置。
【発明の詳細な説明】
【技術分野】
【０００１】
この発明は、主として住宅の室内空間を仕切るために用いられる可動間仕切り装置に関する。
【背景技術】
【０００２】
住宅の長寿命化が重要視される近年では、構造躯体等の高耐久化とともに、室内空間を臨機応変に変化させて、居住者のライフスタイルやライフステージの変化に柔軟に対応できる内装システムが求められている。そして、そのような内装システムの構築に際して、室内空間を使用状況に応じて間仕切り壁によって仕切ることができる可動間仕切り装置が利用されている。
【０００３】
この種の可動間仕切り装置としては、室内空間を仕切る複数の間仕切り壁が、天井面や床面に設けたガイドレールに沿って移動可能且つ回転可能となっていて、室内空間を仕切らないときには、間仕切り壁を９０度回転させて互いに重ね合わせるように収容可能としたものがある(例えば、特許文献１参照)。
【０００４】
【特許文献１】特開平１０-１４０９２０号公報
【発明の開示】
【発明が解決しようとする課題】
【０００５】
しかしながら、従来の可動間仕切り装置では、間仕切り壁の収容に際して、上下のガイドレールのうちの一方若しくは両方に嵌り込んだ間仕切り壁の軸部を中心として、間仕切り壁を天井面や床面に対して隙間をあけた状態で回転させるようになっている。
【０００６】
このため、間仕切り壁の回転時には、間仕切り壁が不安定な状態となって傾き易くなり、円滑に回転させることが困難であった。また、間仕切り壁が傾いて天井面や床面に接触すると、天井面や床面を傷付けてしまうこともあった。さらに、ガイドレールによって間仕切り壁全体を支持することになるから、強度的に強いガイドレールを天井面や床面に強固に取り付ける必要があった。
【０００７】
なお、上記の特許文献１に記載の可動間仕切り装置においては、間仕切り壁の軸部に設けたピニオンギアをガイドレールに設けたラックに係合させることで、間仕切り壁を円滑に回転させるようにしているが、この場合、構造が複雑になるとともに、ガイドレールにおけるラック設置箇所でしか間仕切り壁を円滑に回転させることができず、操作性に乏しいといった問題があった。
【０００８】
そこで、この発明は、上記の不具合を解消して、簡単な構造でありながら、間仕切り壁の移動や回転を円滑に安定して行うことができる操作性に優れた可動間仕切り装置の提供を目的とする。
【課題を解決するための手段】
【０００９】
上記課題を解決するため、この発明の可動間仕切り装置は、天井面１と床面２にガイドレール３、４が夫々設けられ、これらガイドレール３、４間に跨って間仕切り壁５・・が移動自在に取り付けられたものであって、前記間仕切り壁５は、その壁体６の上端部に、天井面１側のガイドレール３に係合してそのガイドレール３に沿って移動可能とされた第１突起７、５０を備えるとともに、前記壁体６の下端部に、複数のキャスター９・・と、床面２側のガイドレール４に係合してそのガイドレール４に沿って移動可能とされた第２突起８とを備え、前記壁体６は、前記第１突起７、５０及び第２突起８を中心として回転可能とされ、前記壁体６の前記ガイドレール３、４に沿った回転位置において前記キャスター９・・が床面２側のガイドレール４上を走行可能とされ、前記壁体６の前記ガイドレール３、４からずれた回転位置において前記キャスター９・・が床面２上を走行可能とされていることを特徴とする。
【００１０】
具体的に、前記第１突起７、５０は、前記壁体６の上端部略中央に設けられ、前記第２突起８は、前記壁体６の下端部略中央に設けられている。また、キャスター９・・は、前記第２突起８を挟んだ両側に設けられている。さらに、前記キャスター９・・は、前記床面２側のガイドレール４上や前記床面２上を転動するボール６２を備えたボールキャスターとされている。
【００１１】
また、前記天井面１側のガイドレール３は、リップ２５、２５間の隙間が下向きになるように前記天井面１に取り付けたリップ付き溝形鋼からなり、前記第１突起７、５０は、前記天井面１側のガイドレール３の溝部内に収容されたスライド部材３０と、このスライド部材３０から前記リップ２５、２５間の隙間を通って下方へ突出した軸部材３１と、前記壁体６の上端部に固定されて前記軸部材３１をその軸芯周りに回転自在且つ上下動自在に支持する支持部材３２と、この支持部材３２に取り付けられて前記軸部材３１を上方へ付勢するバネ部材３３とを備えている。
【００１２】
さらに、前記スライド部材３０に、前記ガイドレール３を天井面１に取り付けるためのビス２９等の固定具を回避する凹所３７、５１が形成されている。
【発明の効果】
【００１３】
この発明の可動間仕切り装置によると、間仕切り壁の壁体の下端部にキャスターを取り付けて、間仕切り壁の移動時や回転時に、キャスターがガイドレール上若しくは床面上を走行するようになっているので、従来のようにガイドレールの強度を高めたり、ガイドレール側に特別な機構を設けることなく、簡単な構造でありながら、間仕切り壁の移動や回転を円滑に安定して行うことができる。しかも、間仕切り壁の回転はガイドレールの任意の位置で行うことができ、間仕切り壁の移動や回転に伴う天井面や床面の傷付きも軽減することができる。
【００１４】
特に、壁体の略中央に第１突起及び第２突起を設けて、壁体の下端部の第２突起を挟んだ両側にキャスターを設けることで、壁体の荷重をキャスターによって分散させてバランス良く支えながら、間仕切り壁を傾かせたり、がたつかせることなく、より円滑に移動、回転させることができる。
【００１５】
また、第１突起において、そのスライド部材及び軸部材がバネ部材によって上方へ付勢された構造となっているので、天井部分の不陸等によって生じたガイドレールの撓みや歪みを、バネ部材の伸縮によって吸収することができ、天井部分の不陸等に伴う間仕切り壁のがたつきを抑えることができる。さらに、この構造において、ガイドレールとその溝部内に収容されたスライド部材とのクリアランスを極力減らすことで、間仕切り壁の傾きやがたつきを確実に抑えて、間仕切り壁をより円滑に移動、回転させることができ、間仕切り壁の転倒も防止することができる。さらにまた、スライド部材に凹所を形成して、ガイドレール固定用の固定具を回避することで、スライド部材をガイドレールの溝部内でスムーズにスライドさせて、間仕切り壁をより円滑に移動させることができる。
【発明を実施するための最良の形態】
【００１６】
以下、この発明の実施形態を図面に基づいて詳細に説明する。この発明の一実施形態に係る可動間仕切り装置は、図１に示すように、天井面１と床面２にガイドレール３、４を夫々設けて、これらガイドレール３、４間に跨って複数の間仕切り壁５・・を移動自在に取り付けている。
【００１７】
間仕切り壁５は、図２に示すように、略長方形状の壁体６と、その壁体６の上端部略中央に設けられた第１突起７と、壁体６の下端部略中央に設けられた第２突起８と、壁体６の下端部の第２突起８を挟んだ両側に設けられた複数のキャスター９・・とを備えている。
【００１８】
壁体６は、方形枠状のフレーム１３の表裏面に石膏ボード等からなる壁面材１４、１４を張り付けることによって構成されている。そして、図３に示すように、この壁体６におけるフレーム１３の一方の側端部には、側方に開放した略コ字形の雌型係合枠材１５が上下方向に沿って設けられている。また、他方の側端部には、側方に開放した略コ字形のカバー枠材１６が上下方向に沿って設けられ、このカバー枠材１６の内側において、側方に開放した略コ字形の雄型係合枠材１７が上下方向に沿って設けられている。
【００１９】
従って、ガイドレール３、４の方向に沿って隣接する間仕切り壁５、５において、互いに対向する雌型係合枠材１５と雄型係合枠材１７とを係合させることで、これら間仕切り壁５、５同士が連結されるようになっている。この場合、雌型係合枠材１５と雄型係合枠材１７との係合部分がカバー枠材１６によって覆われ、さらにカバー枠材１６は壁面材１４、１４の側端部によって覆われているので、係合部分やカバー枠材１６は外部から全く見えることがなく、隣接する間仕切り壁５、５同士が隙間なく連続するようになっている。
【００２０】
また、壁体６におけるフレーム１３の上端部には、図５に示すように、上方に開放した略コ字形の上枠材２０が横方向に沿って設けられている。なお、この上枠材２０は、壁面材１４、１４の上端部によって覆われていて、外部からは見えないようになっている。また、フレーム１３の下端部には、図１０に示すように、リップ２１、２１間の隙間が上向きとなったリップ付き溝形鋼からなる下枠材２２が横方向に沿って設けられている。なお、この下枠材２２においても、壁面材１４、１４の下端部によって覆われていて、外部からは見えないようになっている。
【００２１】
第１突起７は、図４及び図５に示すように、天井面１側のガイドレール３に係合して、そのガイドレール３に沿って移動可能とされている。天井面１側のガイドレール３は、リップ２５、２５間の隙間が下向きになるように天井材２８に埋め込まれたリップ付き溝形鋼からなる。
【００２２】
そして、第１突起７は、天井面１側のガイドレール３の溝部内に収容されたスライド部材３０と、このスライド部材３０から下方へ突出した軸部材３１と、壁体６における上枠材２０の枠内に固定されて、軸部材３１をその縦方向の軸芯周りに回転自在且つ上下動自在に支持する支持部材３２と、この支持部材３２に取り付けられて軸部材３１を上方へ付勢するバネ部材３３とを備えている。
【００２３】
スライド部材３０は、ガイドレール３の長手方向に沿って配された略直方体状のブロック体３５と、このブロック体３５におけるガイドレール３の長手方向に沿った両側面に回転自在に取り付けられた複数のローラ３６・・とを備えている。ローラ３６・・は、例えばブロック体３５の各側面に３個ずつ設けられており、そのうちの中央のローラ３６がガイドレール３のウエブ２６に当接しながら回転し、両側のローラ３６、３６がガイドレール３のリップ２５、２５に当接しながら回転するようになっている。
【００２４】
また、このスライド部材３０においては、図５に示すように、その中央のローラ３６、３６間が凹所３７となっていて、スライド体３０のスライドに際して、ガイドレール３を天井材２８に取り付けるためのビス２９の頭部を回避するようになっている。
【００２５】
軸部材３１は、スライド部材３０の下面略中央に突設された縦ボルト４０と、この縦ボルト４０の下端部に螺合された昇降回転体４１と、縦ボルト４０に螺合されたナット４２とを備えている。縦ボルト４０は、ガイドレール３のリップ２５、２５間の隙間を通って、その下方の壁体６における上枠材２０の枠内へ突出している。昇降回転体４１は、小径部４３と大径部４４を上下に連続させてなり、その上端面から下部にかけてボルト孔４５が形成されている。このボルト孔４５に対する縦ボルト４０のねじ込み量を調整することで、スライド部材３０の壁体６からの上方への突出量を調整することができるようになっている。また、このような調整後には、ナット４２を締め付けることで、縦ボルト４０と昇降回転体４１とを一体化させるようにしている。
【００２６】
支持部材３２は、昇降回転体４１の大径部４４を回転自在且つ上下動自在に収容する筒状体４６と、この筒状体４６の下端部から側方へ張り出したフランジ４７とを備え、フランジ４７が壁体６における上枠材２０に固定されている。そして、筒状体４６内には、上記のバネ部材３３が配されていて、昇降回転体４１の小径部４３と大径部４４との間の段差部分を筒状体４６の上端部に押し付けている。
【００２７】
この第１突起７においては、スライド部材３０のローラ３６・・がガイドレール３に当接することで、ガイドレール３とスライド部材３０とのクリアランスが極力減らされた状態となっていて、ガイドレール３の溝部内におけるスライド部材３０のがたつきを抑えることができる。これにより、スライド部材３０のスムーズなスライドが可能となり、間仕切り壁５の転倒も確実に防止することができる。
【００２８】
また、スライド部材３０の上方への突出量を調整することができるので、ガイドレール３の溝部内にスライド部材３０を精度良く確実に収容させることができる。
【００２９】
さらに、天井部分の不陸等によってガイドレール３に撓みや歪みが生じていると、このガイドレール３に沿って移動するスライド部材３０が上下動することになるが、その上下動をバネ部材３３の伸縮によって吸収することができ、これによって間仕切り壁５の移動時における天井部分の不陸等に伴うがたつきを抑えることができる。
【００３０】
図６及び図７は、第１突起の変形例を示しており、この第１突起５０は、スライド部材３０においてローラ３６・・が取り付けられておらず、ブロック体３５の上面に、ガイドレール３に沿った一対のレール状の突部４８、４８が形成され、ブロック体３５の下面にも、ガイドレール３に沿った一対のレール状の突部４９、４９が形成されている。そして、上側の突部４８、４８間が凹所５１となっていて、ガイドレール３を天井材２８に取り付けるためのビス２９の頭部を回避しながら、下側の突部４９、４９がガイドレール３のリップ２５、２５上を摺動するように構成されている。
【００３１】
このような第１突起５０においても、ガイドレール３とスライド部材３０とのクリアランスが極力減らされた状態となっていて、ガイドレール３の溝部内におけるスライド部材３０のがたつきを抑えるようになっている。しかも、ローラ３６・・を廃止しているので、製造コストの削減も図ることができる。なお、その他の構成は、図４及び図５に示す第１突起７と同様である。
【００３２】
壁体６の上端部には、上記のような第１突起７、５０だけでなく、間仕切り壁５を天井面１と床面２とに跨って突っ張り固定するための図示しない固定機構が設けられている。これにより、使用時や収納時の間仕切り壁５を、天井面１と床面２との間に安定して固定することができる。
【００３３】
第２突起８は、図８及び図９に示すように、床面２側のガイドレール４に係合して、そのガイドレール４に沿って移動可能とされている。床面２側のガイドレール４は、溝部の開放部分が上向きになるように床材５３に埋め込まれた溝形鋼からなる。
【００３４】
そして、第２突起８は、壁体６における下枠材２２の溝部内に取り付けられた回転盤５４と、この回転盤５４に取り付けられた略長方形状の縦プレート５５とを備えている。回転盤５４は、下枠材２２のリップ２１、２１間に跨るように取り付けられた上側の基部５６に対して、下側の平板部５７が縦方向の軸芯周りに回転自在に支持されている。縦プレート５５は、その上端部が回転盤５４の平板部５７に固定され、壁体６における下枠材２２のウエブ２３に形成した切欠部分２４を通って、その下端部が床面２側のガイドレール４に挿入されている。
【００３５】
キャスター９としては、図１０に示すように、例えば物流の現場等で使用されるような高精度なボールキャスターが用いられている。このキャスター９は、壁体６における下枠材２２のウエブ２３を貫通するキャスター本体６０と、このキャスター本体６０から側方へ張り出して下枠材２２のウエブ２３下面に固定されたフランジ６１と、キャスター本体６０に内装されてその一部がキャスター本体６０から下方へ突出したボール６２とを備えている。
【００３６】
また、このように壁体６の下端部に取り付けられるキャスター９・・としては、例えば８個用意されており、これら８個のキャスター９・・が、第２突起８を挟むようにして左右４個ずつ等間隔に配置されている。従って、これら８個のキャスター９・・によって、壁体６の荷重を分散させてバランス良く支えることができる。
【００３７】
上記構成の間仕切り壁５においては、図１１に示すように、その壁体６が第１突起７及び第２突起８を中心として水平方向に回転可能とされており、壁体６がどの回転位置にあるときにも、上下のガイドレール３、４に沿って移動可能とされている。
【００３８】
すなわち、壁体６が上下のガイドレール３、４に沿った回転位置にあるときには、図５に示すように第１突起７のスライド部材３０が天井面１側のガイドレール３内にスライド可能に収まり、図９に示すように第２突起８の縦プレート５５の下端部が床面２側のガイドレール４内にスライド可能に収まった状態で、図１０に示すように、キャスター９・・のボール６２・・が床面２側のガイドレール４における上端エッジ間に嵌り込んで、ガイドレール４上を転動可能となっている。この状態で、間仕切り壁５をガイドレール３、４に沿って軽く押すことで、第１突起７のスライド部材３０がガイドレール３内をスライドし、第２突起８の縦プレート５５がガイドレール４内をスライドしながら、キャスター９・・がガイドレール４上を走行して、間仕切り壁５がガイドレール３、４に沿って移動することになる。このとき、ガイドレール３の溝部内においてスライド部材３０がスムーズにスライドするとともに、複数の高精度なキャスター９・・によって、壁体６をバランス良く支えるので、間仕切り壁５をがたつかせることなく、軽い力でスムーズに移動させることができる。
【００３９】
また、上記のようなガイドレール３、４に沿った回転位置からガイドレール３、４からずれた回転位置へ壁体６を回転させると、図１２に示すように第１突起７のスライド部材３０が天井面１側のガイドレール３内に収まり、図１３に示すように第２突起８の縦プレート５５の下端部が床面２側のガイドレール４内に収まった状態で、キャスター９・・のボール６２・・が床面２上に乗り上げて床面２上を転動する。このときも、ガイドレール３の溝部内においてスライド部材３０がきっちりと収容されて、複数の高精度なキャスター９・・によって、壁体６をバランス良く支えるので、間仕切り壁５をがたつかせることなく、軽い力でスムーズに回転させることができる。しかも、このようなスムーズな回転を可能にすることで、この回転に伴うキャスター９・・の床面２上の走行によって床面２が傷付くといった不具合もなくすことができる。
【００４０】
そして、壁体６がガイドレール３、４からずれた回転位置にあるときに、間仕切り壁５をガイドレール３、４に沿って軽く押すことで、第１突起７のスライド部材３０がガイドレール３内をスライドし、第２突起８の縦プレート５５がガイドレール４内をスライドしながら、キャスター９・・が床面２上を走行して、間仕切り壁５がガイドレール３、４に沿って移動することになる。このときも、ガイドレール３の溝部内においてスライド部材３０がスムーズにスライドするとともに、複数の高精度なキャスター９・・によって、壁体６をバランス良く支えるので、間仕切り壁５をがたつかせることなく、軽い力でスムーズに移動させることができる。しかも、このようなスムーズな移動を可能にすることで、この移動に伴うキャスター９・・の床面２上の走行によって床面２が傷付くといった不具合もなくすことができる。
【００４１】
従って、このような間仕切り壁５・・を複数備えた可動間仕切り装置を用いることで、室内空間の使用状況に応じて、居住者が一人で間仕切り壁５・・を軽々と回転させたり移動させたりして、図１４に示すように、間仕切り壁５・・をガイドレール３、４に沿って連続して並べて室内空間を簡単に仕切ったり、図１５に示すように、間仕切り壁５・・を室内空間の壁面に沿って互いに重ね合わせるように収容して室内空間を簡単に開放することができる。
【００４２】
この発明は、上記実施形態に限定されるものではなく、この発明の範囲内で上記実施形態に多くの修正及び変更を加え得ることは勿論である。
【図面の簡単な説明】
【００４３】
【図１】この発明の一実施形態に係る可動間仕切り装置の斜視図である。
【図２】間仕切り壁の正面図である。
【図３】隣接する間仕切り壁間の連結部分を示す横断面図である。
【図４】第１突起付近の正面断面図である。
【図５】第１突起付近の側面断面図である。
【図６】変形例に係る第１突起付近の正面断面図である。
【図７】変形例に係る第１突起付近の側面断面図である。
【図８】間仕切り壁の下端部中央付近を示す正面図である。
【図９】第２突起付近の側面断面図である。
【図１０】キャスター付近の側面断面図である。
【図１１】間仕切り壁の回転動作を示す図である。
【図１２】壁体がガイドレールからずれた回転位置にあるときの第１突起付近の側面断面図である。
【図１３】壁体がガイドレールからずれた回転位置にあるときの間仕切り壁の下端部中央付近を示す正面図である。
【図１４】間仕切り壁によって室内空間を仕切った状態を示す図である。
【図１５】間仕切り壁の収納動作を示す図である。
【符号の説明】
【００４４】
１・・天井面、２・・床面、３・・天井面側のガイドレール、４・・床面側のガイドレール、５・・間仕切り壁、６・・壁体、７、５０・・第１突起、８・・第２突起、９・・キャスター、２５・・リップ、２９・・ビス、３０・・スライド部材、３１・・軸部材、３２・・支持部材、３３・・バネ部材、３７、５１・・凹所、６２・・ボール
【図１】
2007255118.tif 000003
【図２】
2007255118.tif 000004
【図３】
2007255118.tif 000005
【図４】
2007255118.tif 000006
【図５】
2007255118.tif 000007
【図６】
2007255118.tif 000008
【図７】
2007255118.tif 000009
【図８】
2007255118.tif 000010
【図９】
2007255118.tif 000011
【図１０】
2007255118.tif 000012
【図１１】
2007255118.tif 000013
【図１２】
2007255118.tif 000014
【図１３】
2007255118.tif 000015
【図１４】
2007255118.tif 000016
【図１５】
2007255118.tif 000017